(57)【要約】      （修正有）【課題】バーベキューコンロ上で上下多段に高低調整することができる焼き網を提供する。【解決手段】焼き調理用の網目が連続する四角形をした焼き網１をバーベキューコンロ３の外側に取付けるラチェット柱２にてバーベキューコンロ上に支持し、このラチェット柱を取付枠４内のバー４ａによる掛け止めと取付枠外の解除ハンドル４ｂによる掛け止めの解除操作により焼き網をバーベキューコンロ上において上下多段に高低調整することができるようにした。【選択図】図２
0003208994.tif 000002
【実用新案登録請求の範囲】
【請求項１】
焼き網をバーベキューコンロの外側に取付けるラチェット柱にて支持し、このラチェット柱を取付枠内のバーによる掛け止めと取付枠外の解除ハンドルによる掛け止めの解除操作により焼き網を上下多段において高低調整することができるようにしたことを特徴とするバーベキューコンロの焼き網。
【請求項２】
焼き網を分割して一部またはそれぞれを上下多段において各別に高低調整させる請求項１に記載のバーベキューコンロの焼き網。
【考案の詳細な説明】
【技術分野】
【０００１】
この考案はバーベキューコンロの焼き網、詳しくはバーベキューコンロ上の焼き網を上下多段において高低調整することができるようにした焼き網に関するものある。
【背景技術】
【０００２】
この種の焼き網としては実用新案登録第３１９００３０号公報がある。この公報はバーベキューコンロ上の焼き網の両側下に折畳脚を取付けて、この折畳脚を起伏することで焼き網を２段階において高低させるということを記載している。
【特許文献１】実用新案登録第３１９００３０号公報
【考案の開示】
【考案が解決しようとする課題】
【０００３】
しかしながら、上記公報は焼き網の高低調整が狭い範囲の２段階にとどまるという課題がある。しかも焼き網は折畳脚を起伏のいずれかに回動しておいてコンロ上に載せるので、バーベキューの焼き調理中に焼き網を高低調整することが困難という課題がある。
【課題を解決するための手段】
【０００４】
本考案はバーベキューコンロ上の焼き網を左右または前後のラチェット柱にて支持し、このラチェット柱の下部をバーベキューコンロの左右または前後の外側に設ける取付枠内に嵌挿し、掛け止め用のバーにて掛け止め、取付枠外に設ける掛け止めを解除する解除ハンドルの解除操作により焼き網をラチェット歯数において多段において高低調整することができるようにし、しかもこの多段の高低調整を焼き調理中も容易に行えるようにして、前記公報の記載課題を解決するようにしたのである。
【考案の効果】
【０００５】
本考案は、バーベキューコンロ上の焼き網を上下多段において高低調整することができて、バーベキューコンロ上の焼き調理を格段に向上させることができるという効果を生ずる。
【０００６】
焼き網を左右または前後等に分割することで、焼き網を分割別に多段において高低調整することができるという効果を生ずる。
【０００７】
焼き網は持ち上げるだけでラチェット柱ごと高くすることができ、解除ハンドルの操作にて低くすることができるので、調理中においても焼き網を多段において高低調整することができるという効果を生ずる。
【図面の簡単な説明】
【０００８】
【図１】本考案の第１実施例を示す斜視図
【図２】同、要部の拡大図で、（ａ）は掛け止め部をバーにて掛け止めした状態を示す斜視図、（ｂ）は解除ハンドルを操作してバーの掛け止めを解除した状態を示す斜視図
【図３】焼き網を左右に分割した第２実施例を示すもので、高低調整自在の左半の焼き網を高く調整した状態を示す斜視図
【図４】２分割した焼網の双方を高さ調整自在とした例で、（ａ）は双方を同じ高さに調整した状態、（ｂ）は右半をバーベキューコンロ上まで下げた状態を示す部分斜視図
【符号の説明】
【０００９】
１は焼き網
１ａは鉄板
２は縦ラチェット柱
２ａは掛け止め部
３はバーベキューコンロ
４は取付枠
４ａは掛け止め用のバー
４ｂは解除ハンドル
５は焼き網の左右または前後より外側に張り出した持ち手
【考案を実施するための最良の形態】
【００１０】
本考案は焼き網を支持するラチェット柱をバーベキューコンロの左右または前後の外側に設ける取付枠に挿嵌してバーにて掛け止め、焼き網を外側に張り出した持ち手を持って持ち上げるとラチェット柱の掛け止めを解きつつ多段において上昇させることができ、また解除ハンドルによる掛け止めの解除操作により焼き網を下降させることができるように焼き網を多段において高低調整可能にして構成する。
焼き網は外側に張り出した持ち手を持って高低調整するので、加熱による支障は生じないことになる。
【実施例１】
【００１１】
図１乃至図２は本考案の第１実施例を示すもので、焼き網１の左右両端下にラチェット歯である掛け止め部２ａを多段において外向きに設けた縦ラチェット柱２，２を取付け、バーベキューコンロ３の対称位置の上部外側に取付ける取付枠４に挿嵌し、内向きにバネ付勢されたバー４ａにて掛け止め部２ａを掛け止めする。４ｂは取付枠４の外側に設けた掛け止めを解除するための解除ハンドル、５，５は焼き網１の左右端から外側に張り出し取付けした持ち手である。
【００１２】
焼き網１は持ち手５，５を持って持ち上げるとバネ付勢された掛け止め用のバー４ａをカチカチさせながら縦ラチェット柱２，２を伴って上動し、持ち上げをとめるとその点で掛け止め用のバー４ａ，４ａがバネ付勢により相対する掛け止め部２ａ，２ａ下に入って掛け止めして、焼き網１を固定することとなる。従って、例えばバーベキューの焼き調理のはじめは焼き網１をバーベキューコンロ３上に接面するように低い位置にして焼き方を速め、しばらくしたら焼き網１を適当な高さに引き上げてバーベキューコンロ３より離して焼き調理の進行をおだやかにする等の調理加減ができることとなる。再び低く調整するときは図２（ｂ）に示すように解除ハンドル４ｂを操作して掛け止め部２ａへの掛け止めを解除して焼き網１を下げるのである。
【実施例２】
【００１３】
図３は本考案の第２実施例であって、焼き網１を右半と左半または前半と後半に分割し、分割した一方の焼き網１をバーベキューコンロ３上に固定し、他方の焼き網１をラチェット柱２，２にて支持して上下多段において高低調整するようにしたのである。
【００１４】
図４乃至図５は分割した焼き網１の双方をラチェット柱２，２にて各別に支持して、図５に示すように双方の焼き網１，１を別々に高さ調整することができるようにしたものである。
【００１５】
いずれの場合も分割した焼き網１，１の一方を別の焼き調理用として図３の右上方に図示するような鉄板１ａなどに置きかえることもできる。その他の構成と作用は第１実施例と同じである。
【産業上の利用可能性】
【００１６】
本考案はバーベキューコンロ上の焼き網を上下多段において高低調整することができることで広く利用されるものである。
【図１】
0003208994.tif 000003
【図２】
0003208994.tif 000004
【図３】
0003208994.tif 000005
【図４】
0003208994.tif 000006
【手続補正書】
【提出日】平成28年12月14日(2016.12.14)
【手続補正１】
【補正対象書類名】実用新案登録請求の範囲
【補正対象項目名】全文
【補正方法】変更
【補正の内容】
【実用新案登録請求の範囲】
【請求項１】
焼き調理用の網目が連続する四角形をした焼き網をバーベキューコンロの外側に取付けるラチェット柱にてバーベキューコンロ上に支持し、このラチェット柱を取付枠内のバーによる掛け止めと取付枠外の解除ハンドルによる掛け止めの解除操作により焼き網をバーベキューコンロ上において上下多段に高低調整することができるようにしたことを特徴とするバーベキューコンロの焼き網。
【請求項２】
焼き網を分割して一部またはそれぞれを上下多段において各別に高低調整させる請求項１に記載のバーベキューコンロの焼き網。